(57)【要約】【課題】マルチライン端末に入電する呼び出し上のダイアルされた番号の識別を供給するシステムおよび方法を提供すること。【解決手段】この方法は、少なくとも２つの異なる番号を有するマルチライン端末への呼び出しをネットワークで受信する工程、マルチライン・モバイル端末である端末を示すデータ入力に関してモバイル加入者データベースをチェックする工程、および被呼者が少なくとも２つの異なる番号のうちのいずれが呼び出されたかを知るように、発呼者の識別情報を被呼端末に与えるだけでなく発呼者によってダイアルされた番号もやはり与える工程を有することが可能である。マルチライン端末は、それに割り当てられた少なくとも２つの別々で独立した番号を有するマルチライン・モバイル端末であることが可能である。【選択図】図１
2006014345.tif 000002
【特許請求の範囲】
【請求項１】
マルチライン端末に入電する呼び出し上のダイアルされた番号を識別する方法であって、
少なくとも２つの異なる番号を有するマルチライン端末への呼び出しをネットワークで受信する工程と、
マルチライン・モバイル端末である端末を示すデータ入力に関してモバイル加入者データベースをチェックする工程と、
被呼者が少なくとも２つの異なる番号のうちのいずれが呼び出されているかを知るように、発呼者の識別情報を被呼端末に与えるだけでなく発呼者によってダイアルされた番号もやはり与える工程を含む方法。
【請求項２】
前記マルチライン端末が、それに割り当てられた少なくとも２つの別々で独立した番号を有する前記マルチライン・モバイル端末である、請求項１に記載の方法。
【請求項３】
前記発呼者識別および前記発呼者によってダイアルされた番号の両方が前記端末に表示される、請求項１に記載の方法。
【請求項４】
被呼者の端末の端末タイプを判定するために、加入者データベース内に保存された前記被呼者の加入者情報を問い合わせる工程をさらに含む、請求項１に記載の方法。
【請求項５】
前記端末タイプがマルチライン端末とシングルライン端末のうちの一方である、請求項４に記載の方法。
【請求項６】
前記ネットワークが、発呼者に付随する発呼者ＩＤ情報に加えてマルチライン・モバイル端末に入電する呼び出し上のダイアルされた番号の識別をサポートする、請求項４に記載の方法。
【請求項７】
マルチライン端末に入電する呼び出し上のダイアルされた番号の識別を提供するシステムであって、
動作可能にネットワークへと接続されたマルチライン端末と、
前記マルチライン端末から前記ネットワークに受信される予め決められた入力コマンドであって、加入者データベースに保存されたデータ入力によって前記ネットワークが前記端末のマルチライン機能を確立するかまたはそれを認知する原因となる前記予め決められた入力コマンドとを有し、
前記ネットワークが、発呼者／被呼者識別モジュールを介して前記加入者データベースへと動作可能に接続された呼び出し制御器を有し、
呼び出しを処理する工程で、前記発呼者／被呼者識別モジュールを介して前記呼び出し制御器が前記マルチライン端末に発呼者識別情報を与え、発呼者によってダイアルされた番号を前記マルチライン端末に与え、それにより、多数の番号のうちのいずれが呼び出されているかを被呼者が知るシステム。
【請求項８】
前記発呼者／被呼者識別モジュールが、特定のモバイル端末に呼び出しがセットされると前記モバイル端末が複数の別々で独立した番号を有することを前記ネットワークが識別することを可能にする、請求項８に記載のシステム。
【請求項９】
前記マルチライン端末が、それに割り当てられた少なくとも２つの別々で独立した番号を有するマルチライン・モバイル端末である、請求項８に記載のシステム。
【請求項１０】
発呼者に付随する発呼者ＩＤ情報に加えてマルチライン・モバイル端末に入電する呼び出し上のダイアルされた番号の識別をサポートする、請求項８に記載のシステム。
【発明の詳細な説明】
【技術分野】
【０００１】
本発明は概して電気通信に関し、特に、マルチライン端末への着信呼び出しでダイアルされた番号の識別を提供する工程に関する。
【背景技術】
【０００２】
無線通信システムは絶え間なく発展している。システム設計者はサービス・プロバイダならびにエンドユーザの両方のために継続的に開発を行っている。無線電話システムの領域では、セルラーを基本とする電話システムが近年大いに進歩してきた。無線電話システムは様々な変調技術に基づいて利用可能であり、いくつかの割り当て周波数帯域を使用することが可能である。利用可能な変調の仕組みはアナログＦＭ、および時分割多重アクセス方式（ＴＤＭＡ）もしくは符号分割多重アクセス方式（ＣＤＭＡ）を使用するデジタル変調の仕組みを含む。各々の仕組みがシステム構造、周波数再利用、および通信品質に関して特有の利点と欠点を有する。しかしながら、製造業者がサービス・プロバイダに提供し、サービス・プロバイダが顧客に提供する特徴は多様な無線システムの間で類似している。
【０００３】
使用時の変調の仕組みに関係なく、エンドユーザに利用可能な無線電話器はいくつかの重要な特徴を有する。殆どすべての無線電話器は少なくとも、番号と文章を入力するためのキーボード、およびユーザが文章、ダイアル番号、写真、および入電発呼者番号を表示することを可能にするディスプレイを組み入れる。付け加えると、無線電話器は電子電話帳、短縮ダイアル、単一ボタン音声メール・アクセス、およびｅメールのようなメッセージ機能を組み入れることが可能である。
【０００４】
上述の特徴は、無線電話システムに導入されることが可能であるかまたは既に導入されている特徴の範例を提示しているに過ぎない。いずれの個々の特徴も上述の変調仕組みを使用する無線システムのいくつか、またはすべてに導入することが可能である。
【０００５】
モバイル加入者はますます携帯用ハンドセットへの結びつきを強め、それはしばしば起きている間の必要なアクセサリに見える。仕事生活と私生活の間の一線は、長時間、フレックスタイムのスケジュールと組み合わせて、多くの従業員に必要となる仕事場所のせいでますます曖昧になっている。多くの環境で、モバイル加入者は彼らの仕事関係の用件、彼らの私生活、および些細な私用にさえ１台の携帯用ハンドセットを共用している。したがって、１台のマルチライン携帯端末に関してそれぞれの電話番号、コーリング・プラン、および課金の割り振りなどの間の区別を維持する切迫したニーズが存在する。
【発明の開示】
【発明が解決しようとする課題】
【０００６】
しかしながら、マルチライン・モバイルの導入で、マルチライン・モバイルの様々な系列または番号のうちのいずれが呼び出されているかを見分けるときにいくつかの問題が存在する。例えば、マルチライン・モバイルのユーザは、自分の電話器のいずれの番号に発呼者がダイアルしているかを本質的に知らない。したがって、複数の番号のいずれに呼び出しが入電しているかを知らないので、彼は着信呼び出しに応答すべきか否かを知ることが不可能である。この情報は重要であり、なぜならば、仕事の会議中に個人用の系列への私的呼び出しに応答することは不適切である可能性があり、しかし呼び出しが仕事の系列に入電した場合は、例えばそれが目前の会議に関係している可能性があるので入電呼び出しに応答することが大切である可能性がある。
【０００７】
これらおよびその他の事項が理由となって、マルチライン・モバイルのユーザに入電発呼者の識別だけでなく発呼者によってダイアルされているモバイルの番号の識別も提供し、それにより、被呼者（マルチライン・モバイルのユーザ）が自分のモバイルの番号のいずれが呼び出されているかを識別することが可能となる特徴を電気通信ネットワークがサポートするというニーズが存在する。
【課題を解決するための手段】
【０００８】
１つの実践例での本発明はシステムを包含する。本システムの１つの実施形態は、マルチライン端末からネットワークに受信される予め決められた入力コマンドであって、加入者データベースに保存されたデータ入力によってネットワークが端末のマルチライン機能を確立するかまたはそれを認知する原因となる予め決められた入力コマンドを有することが可能であり、呼び出しを処理する工程では、呼び出し制御器が発呼者識別情報をマルチライン端末に与えるばかりでなく、発呼者によってダイアルされた番号も追加的にマルチライン端末に与えることが可能であり、それにより、被呼者は多数の番号のうちのいずれが呼び出されたかを知るであろう。マルチライン端末は、それに割り当てられた少なくとも２つの別々で独立した番号を有するマルチライン・モバイル端末であることが可能である。
【０００９】
本発明の別の実践例は、少なくとも２つの異なる番号を有するマルチライン端末への呼び出しをネットワークで受信する工程、マルチライン・モバイル端末である端末を示すデータ入力に関してモバイル加入者データベースをチェックする工程、および被呼者が少なくとも２つの異なる番号のうちのいずれが呼び出されたかを知るように、発呼者の識別情報を被呼端末に与えるだけでなく発呼者によってダイアルされた番号もやはり与える工程を有することが可能な方法を含む。
本発明の範例の実践例の特徴は説明文、特許請求項、および添付の図面から明らかになるであろう。
【発明を実施するための最良の形態】
【００１０】
これらの非限定的な範例の中で検討される特定の値および構造は変えられることが可能であり、単に本発明の実施形態を具体的に示すために引用されており、本発明の範囲を限定するように意図されていない。
【００１１】
携帯電話のようなマルチライン・モバイル端末の導入で、様々な電話番号のうちのいずれがマルチライン・モバイル電話上で呼び出されているかに関する識別についてマルチライン・モバイルのユーザをサポートするネットワークを提供することが必要となる。本発明の実施形態は、発呼者に付随する発呼者ＩＤ情報に加えてマルチライン・モバイル端末への入電呼び出しでダイアルされる番号の識別をサポートするネットワークを提供する。このネットワークは、モバイル加入者データベースの中に保存されたデータ入力によってモバイル・ハンドセットのマルチライン機能を認知する。モバイル・ハンドセットに着信する発呼は、ネットワークが発呼者識別情報を被呼者へ与える引き金になり得るばかりでなく、発呼者によってダイアルされた番号を追加的に与えることが可能であり、それにより、被呼者は多数の番号のうちのいずれが呼び出されたかを知るであろう。
【００１２】
一般論として、本システムの実施形態は以下の要素を有する。モバイル端末は動作可能にネットワークへと接続される。端末での入力のための予め決められた入力コマンドであって、モバイル加入者データベースに保存されたデータ入力によってネットワークがモバイル端末のマルチライン機能を確立するかまたはそれを認知する原因となる予め決められた入力コマンドである。このネットワークは動作可能に加入者データベースへと接続された呼び出し制御器を有する。呼び出しを処理する工程では、呼び出し制御器が発呼者識別情報を被呼者に与えることが可能であるばかりでなく、発呼者によってダイアルされた番号も追加的に与えることが可能であり、それにより、被呼者は多数の番号のうちのいずれが呼び出されたかを知るであろう。
【００１３】
本システムおよび方法はどのようなタイプのネットワーク（例えば有線または無線）でも使用されることが可能であるが、加入者は通常、モバイル端末（モバイル・フォン、携帯電話、モバイル・ハンドセット、あるいは自動車電話とも称される）を使用するモバイル加入者である可能性がある。
【００１４】
さらに特定した項目では、呼び出しを処理する工程で、通常の動作の一部である呼び出し制御器の機能は被呼端末のタイプ（例えばマルチライン端末対シングルライン端末）を判定するために加入者データベースに保存された被呼者の加入者情報を問い合わせるであろう。被呼者が複数の使用可能番号を備えたマルチライン端末を有していると判定すると、呼び出し制御器の機能は呼び出しを接続し、発呼者識別情報に加えて発呼者によってダイアルされた番号を提示する。
【００１５】
図１の実施形態では、ネットワーク１０１は動作可能に少なくとも１つのモバイル端末１０２へと接続される。知られているように、ネットワーク１０１は少なくとも１つの基地局１０３を有することが可能であり、それが動作可能にモバイル交換機センター１０５へと接続され、モバイル端末１０２へと無線でつながる。ネットワーク１０１内のモバイル交換機センター１０５もやはり動作可能に基地局１０３および発呼者／被呼者識別モジュール１０９へと接続された呼び出し制御モジュール１０７を有することが可能である。データベース１１１もやはり動作可能に発呼者／被呼者識別モジュール１０９へと接続されることが可能である。
【００１６】
ネットワーク１０１は電話網、ローカル・エリア・ネットワーク（「ＬＡＮ」）、インターネット、無線ネットワークのうちの１つまたは複数であることが可能であり、あるいはその一部分であることが可能である。描かれた実施形態では、公衆交換電話網（ＰＳＴＮ）１０４がモバイル交換機センター１０５へと接続される。ＰＳＴＮ１０４はモバイル交換機センター１０５を通じて呼び出しをモバイル・ユーザへと、またはモバイル・ユーザから経路決定する。ＰＳＴＮ１０４はまた、回線の局１０６への、および回線の局１０６からの経路決定も行う。ＰＳＴＮ１０４は概して、電話器とアクセス権を備えたすべての人々にアクセス可能な全世界の音声電話網（例えばＡＴ＆Ｔ長距離網）として導入されることが可能である。
【００１７】
発呼者／被呼者識別モジュール１０９は、特定のモバイル端末１０２へと呼び出しがセットされるとそれが２つ以上の別々で独立した番号を有することをネットワーク１０１が識別することを可能にし、ダイアルされた番号が発呼者情報に追加してマルチライン・モバイル端末に提示されるはずである。この情報はモバイル端末１０２の画面１１３上に表示されることが可能である。
【００１８】
図２を参照すると、発呼者に付随する発呼者ＩＤ情報に加えて、マルチライン・モバイル端末に入電する呼び出し上のダイアルされた番号を識別する方法の１つの実施形態が描かれている。そのような実施形態は、マルチライン端末への呼び出しをネットワークで受信する工程（工程２０１）、マルチライン・モバイル端末であるモバイル端末を示すデータ入力に関してモバイル加入者データベースをチェックする工程（工程２０２）、および被呼者が多数の番号のうちのいずれが呼び出されたかを知るように、発呼者の識別情報を被呼モバイル端末に与えるだけでなく発呼者によってダイアルされた番号もやはり与える工程（工程２０３）を有することが可能である。
【００１９】
したがって、向上した本方法とシステムは、現在の自動番号識別（ＡＮＩ）および発呼者名提示（ＣＮＡＰ）の機能が被呼者の装置に表示される事項の限られた制御をエンドユーザ／オペレータに提供するといった先行技術の欠点を克服する。
【００２０】
特定のモバイル・ハンドセットへと呼び出しがセットされるとそれが２つ以上の別々で独立した番号を有することをネットワークが識別する方法論において、発呼者識別情報に加えてダイアルされた番号がマルチライン・モバイルのユーザに提示されるはずである。
【００２１】
したがって本システムおよび方法の実施形態は、入電する発呼者の識別だけでなく発呼者によってダイアルされるモバイルの番号の識別もマルチライン・モバイルのユーザに提供し、それにより、被呼者（マルチライン・モバイルのユーザ）がモバイルの番号のいずれが呼び出されているかを識別することが可能となる特徴を通信ネットワークがサポートするように先行技術にあるニーズを満足させる。
【００２２】
本システムおよび方法はモバイル・フォンおよびモバイル端末と同様に非モバイルの電話器および端末で使用されることが可能である。また、異なるタイプのデータ記憶装置本方法およびシステムで使用されることが可能である。例えば、データ記憶装置は磁気的、電気的、光学的、生物学的、および原子のデータ記憶媒体のうちの１つまたは複数であることが可能である。
【００２３】
本明細書に述べられた工程または操作は範例でしかない。本発明の精神から逸脱することなくこれらの工程または操作への多くの変形例が存在することが可能である。例えば、これらの工程が異なる順序で実行されることが可能であり、あるいは工程が追加、削除、または改造されることが可能である。
【００２４】
本発明の範例の実践例が本明細書に詳しく描かれ、説明されてきたが、本発明の精神から逸脱することなく様々な改造、追加、置き換えなどが為され得ること、したがってこれらが添付の特許請求項に規定されるような本発明の範囲内と考えられることは当業者にとって明らかであろう。
【図面の簡単な説明】
【００２５】
【図１】マルチライン端末に入電する呼び出しでダイアルされた番号を識別するための一実施形態によるシステムの要素を例示するブロック図である。
【図２】本方法およびシステムの一実施形態に従って辿られることが可能な論理動作段階を例示する極めて概略のフローチャートである。
【図１】
2006014345.tif 000003
【図２】
2006014345.tif 000004